(57)【要約】      （修正有） 【課題】撮影のタイミングに合わせて撮影者がカメラをしっかり保持することができるようにして簡単な構成で効果的に手ブレによる像の劣化を防止する。【解決手段】通常モードと報知モードとを選択可能にしてあり、通常モードは、レリーズボタン７の全押しに応答して、直ちに撮影が行われる。報知モードは、レリーズボタン７を押圧すると、予め決めた遅延時間だけ、撮影が遅延されるとともに、レリーズボタン７の押圧時から撮影までの期間中に音声によるカウントダウンが行われる。このカウントダウンによる「０」のタイミングで撮影が行われる。【選択図】図４
2007065553.tif 000002
【特許請求の範囲】
【請求項１】
外部からレリーズボタンが操作されることに応答して、撮影機構に撮影させるための撮影指示信号を発生する指示手段と、撮影指示信号を受けてから所定の時間だけ遅延して撮影機構を動作させる制御手段と、撮影指示信号の発生から撮影が行われるまでの期間中に撮影のタイミングを知らせるための報知を撮影者に行う報知手段を備えたことを特徴とするカメラ。
【請求項２】
前記報知手段による報知を行う報知モードと、報知を行わない通常モードとのいずれか一方に切替えるための操作手段を備え、前記報知モードのときに、前記制御手段が撮影機構の動作を遅延し、前記報知手段が報知を行うことを特徴とする請求項１記載のカメラ。
【請求項３】
前記報知手段は、音声により報知を行うことを特徴とする請求項１または２記載のカメラ。
【請求項４】
前記報知手段は、報知のための音声を出力するスピーカと、このスピーカの音量を調節する音量調節手段とを備えたことを特徴とする請求項３記載のカメラ。
【請求項５】
前記音量調節手段は、カメラボディを保持した撮影者に報知するための小音量と、この小音量よりも大きく撮影者と被写体に対して報知するための大音量とにスピーカの音量を切り替えることを特徴とする請求項４記載のカメラ。
【請求項６】
前記報知手段は、撮影者の耳に装着される音声出力器を備え、この音声出力器から報知のための音声を出力することを特徴とする請求項３記載のカメラ。
【請求項７】
報知用の音声を出力するための接続端子がカメラボディに設けられ、前記音声出力器は、前記接続端子に着脱自在であることを特徴とする請求項６記載のカメラ。
【請求項８】
前記報知手段は、カメラボディに内蔵され報知のための音声を出力するスピーカと、前記接続端子に前記音声出力器が接続されているときには、前記スピーカからの音声の出力を停止する出力切替手段とを備えていることを特徴とする請求項７記載のカメラ。
【請求項９】
前記報知手段は、カメラボディの背面側に光学的な表示を行うことを特徴とする請求項１または２記載のカメラ。
【請求項１０】
前記報知手段は、数字のカウントダウンによって報知を行うことを特徴とする請求項１ないし９のいずれか１項に記載のカメラ。
【発明の詳細な説明】
【技術分野】
【０００１】
本発明は、カメラに関するものである。
【背景技術】
【０００２】
カメラとしては、写真フイルム（銀塩フイルム）を用いるカメラや、被写体像をデジタルデータに変換して記録するデジタルカメラ等が知られている。また、デジタルカメラを内蔵した携帯電話も普及している。このようなカメラでは、明るい撮影レンズの採用、高感度化により、暗い場所での撮影に対応できるようにされつつあるが、それらには製造コストやカメラの大型化、ノイズの増加などによる限界があり、またより暗い場所で撮影に対応しきれない等の理由から、適切な光量を確保するためには、低速のシャッタ速度で対応せざるを得ない場合がある。
【０００３】
しかし、低速なシャッタ速度を使用する場合には、適切にカメラを保持していないと、撮影中にカメラが動いてしまい、被写体像がぶれるいわゆる手ブレが発生しやすくなる。特に顔から離した姿勢でカメラを保持し、カメラに設けたモニタ画面を観察する姿勢で撮影を行うデジタルカメラや、それを内蔵した携帯電話では手ブレが発生しやすい。
【０００４】
上記のような手ブレの発生を防止する装置（以下、ブレ補正装置という）が知られている（例えば、特許文献１，２）。特許文献１，２のブレ補正装置は、カメラボディの振動・移動を検出し、そのブレ検出に基づき結像面に対する像の移動をなくすように例えば撮影レンズの一部のレンズをアクチュエータで移動させている。特許文献１では、ブレ補正のレンズを原点位置に移動させた後に、レリーズ操作から実際に露光を開始するまでの遅延時間であるレリーズタイムラグを変化させている。また、ブレ検出に基づく信号と、ブレ補正用のアクチュエータの動作信号とを比較し、ブレ補正が可能となった時点で露出開始させるようにしている。
【特許文献１】特開平２−２８０１３１号公報
【特許文献２】特開平５−１６５０７８号公報
【発明の開示】
【発明が解決しようとする課題】
【０００５】
上記のようなブレ補正装置は、手ブレによる被写体像のブレを効果的になくす有用な装置であるが、構造が複雑でありコスト上昇させてしまう。また、小型化が難しく携帯電話に内蔵されたデジタルカメラなどに採用するには無理があった。
【０００６】
本発明は上記問題を解消するためになされたもので、簡単な構成で効果的に手ブレによる像の劣化を防止できるカメラを提供することを目的とする。
【課題を解決するための手段】
【０００７】
上記目的を達成するために、請求項１記載のカメラでは、外部からレリーズボタンが操作されることに応答して、撮影機構に撮影させるための撮影指示信号を発生する指示手段と、撮影指示信号を受けてから所定の時間だけ遅延して撮影機構を動作させる制御手段と、撮影指示信号の発生から撮影が行われるまでの期間中に撮影のタイミングを知らせるための報知を撮影者に行う報知手段を備えたものである。請求項２記載のカメラでは、報知手段による報知を行う報知モードと、報知を行わない通常モードとのいずれか一方に切替えるための操作手段を備え、報知モードのときに、制御手段が撮影機構の動作を遅延し、報知手段が報知を行うようにしたものである。
【０００８】
請求項３記載のカメラでは、報知手段を、音声により報知するようにしたものであり、請求項４記載のカメラでは、報知手段に、報知のための音声を出力するスピーカの音量を調節する音量調節手段を設けたものである。請求項５記載のカメラでは、音量調節手段を、カメラボディを保持した撮影者に報知するための小音量と、この小音量よりも大きく撮影者と被写体に対して報知するための大音量とにスピーカの音量を切り替えるようにしたものである。
【０００９】
請求項６記載のカメラでは、報知手段に、撮影者の耳に装着される音声出力器を備え、この音声出力器から報知のための音声を出力するようにしたものであり、請求項７記載のカメラでは、カメラボディに設けた報知用の音声を出力するための接続端子に音声出力器を着脱自在としたものである。
【００１０】
請求項８記載のカメラでは、カメラボディに内蔵され報知のための音声を出力するスピーカと、接続端子に音声出力器が接続されているときには、前記スピーカからの音声の出力を停止する出力切替手段とを設けたものである。
【００１１】
請求項９記載のカメラでは、報知手段が、カメラボディの背面側に光学的な表示を行うようにしたものである。
【００１２】
請求項１０記載のカメラでは、数字のカウントダウンによって報知を行うようにしたものである。
【発明の効果】
【００１３】
本発明によれば、レリーズボタンが操作に応答した撮影を意図的に遅延させ、撮影が行われるまでの期間中に撮影のタイミングを知らせるための報知を撮影者に行う報知手段を備えたから、撮影者が撮影のタイミングに合わせてカメラをしっかり保持することができるようになり、手ブレを防止することができる。
【発明を実施するための最良の形態】
【００１４】
図１に本発明を実施した写真フイルムを用いるカメラ２の正面を、図２背面をそれぞれ示す。カメラ２のカメラボディ３の前面には、撮影レンズ４，ファインダ５の対物側窓５ａを設けてある。撮影レンズ４は、沈胴式の鏡筒４ａにレンズを保持してあり、電源をオンとすると鏡筒４ａが図示した沈胴位置から前方に突出した突出位置に繰り出される。また、鏡筒４ａには、レンズバリア４ｂを設けてあり、このレンズバリア４ｂは、鏡筒４ａが沈胴位置のときにレンズを覆う閉じ位置となり、突出位置のときにレンズを露呈する開き位置となる。
【００１５】
カメラボディ３の上部には、操作部６，レリーズボタン７，ズーム操作部材８，ストロボ発光部９，ＬＣＤ１０を設けてある。操作部６は、電源をオン・オフする電源ボタン，撮影モードを通常モードと後述する報知モードのいずれかに切替えるモードボタン，撮影感度等を設定する設定ボタン等からなる。レリーズボタン７は、浅く押した半押しと、この半押しからさらに押し込んだ全押しとに押圧操作可能になっている。
【００１６】
通常モードは、レリーズボタン７の全押しに応答して、直ちに撮影を行うモードである。この通常モードでは、レリーズボタン７を半押しとすることにより、被写体へのピント合せ，被写体輝度の測定を行い、さらにレリーズボタン７を押し込んで全押しとすることにより、シャッタ装置１１（図３参照）を開閉して写真フイルムへの露光を行う。
【００１７】
報知モードは、レリーズボタン７の全押しに応答して予め決められた遅延時間だけ、撮影を遅延させるとともに、そのレリーズボタン７の押圧時から撮影までの期間中に撮影のタイミングを知らせるための報知を撮影者に行うモードである。この例では、写真フイルムへの露光が遅延される撮影であるが、例えばイメージセンサを用いたデジタルカメラでは、記録する静止画のための電荷をイメージセンサで蓄積する動作が撮影となる。
【００１８】
報知モードでは、レリーズボタン７の半押しに応答して被写体へのピント合せを行い、全押し位置への押圧に応答して遅延時間後に被写体輝度の測定を行って撮影を行う。撮影が開始されるタイミングの報知は、この例では、「３（さん）」，「２（に）」，「１（いち）」，「０（ぜろ）」という音声によるカウントダウンで行い、音声の「０」のタイミングで撮影（露光）を行う。
【００１９】
なお、音声出力により報知の態様は、上記のものに限られず、例えば「５」からカウントダウンしてもよく、カウントダウンの「１」のタイミングで露光動作が行われるようにしてもよく、あるいはそのような各種態様を選択できるようにしてもよい。また、カウントダウン以外の内容でタイミングを知らせてもよい。さらに、日本語，英語，中国語、フランス語等の各種言語の音声出力を選択できるようにしてもよく、音声出力の声を例えば「元気な声」，「落ち着いた声」，「男性の声」，「女性の声」等から選択できるようにしてもよい。
【００２０】
ズーム操作部材８は、シーソ式の押しボタンであって望遠側（「Ｔ」字側）、広角側（「Ｗ」字側）のいずれかに選択的に押圧可能になっており、押圧操作を解除しているときには所定の中立位置に復元するようにしてある。ズーム操作部材８を望遠側または広角側に押圧することにより、撮影レンズ４がズーミングされる。
【００２１】
ストロボ発光部９は、図示する収納位置と、上部に突出してストロボ発光面を露呈させたアップ位置との間で移動自在としてある。このストロボ発光部９は、ポップアップボタン１２を押圧することによりアップ位置となり、アップ位置のストロボ発光部９を下方に向けて押圧することで収納位置とすることができる。ストロボ発光部９がアップ位置となっている場合で、撮影に先立って測定された被写体輝度が所定レベル以下のときには、撮影に同期してストロボ光がストロボ発光面より被写体に向けて照射される。ＬＣＤ１０は、設定されている撮影モードや、装填されている写真フイルムの撮影感度，写真フイルムの残り撮影枚数等の撮影情報を表示する。
【００２２】
カメラボディ３の背面には、ファインダ５の接眼側窓５ｂ，フイルム装填蓋１３を設けてある。撮影者は、接眼側窓５ｂを覗くことによって、撮影レンズ４による撮影範囲を知ることができる。
【００２３】
フイルム装填蓋１３は、蝶番を介してカメラボディ３に取り付けてあり、カメラボディ３の内部に設けたパトローネ装填室，フイルム巻き取り室，それらの間のフイルム通路を露呈する開き位置と、カメラボディ３の内部を光密に覆う閉じ位置との間で開閉自在にしてある。カメラボディ３の側面に設けたロックレバー１５を下方にスライドすることにより、ロックが解除されて、フイルム装填蓋１３を閉じ位置から開き位置に回動できる。フイルム装填蓋１３を開き位置にすることにより、写真フイルムパトローネの装填及び取出しを行うことができる。フイルム装填蓋１３を開き位置から閉じ位置にすると、自動的にロックレバー１５が上方にスライドしてフイルム装填蓋１３が閉じ位置にロックされる。
【００２４】
接眼側窓５ｂの近傍には、ストロボ発光用のメインコンデンサの充電状態を示す充電ランプ１６と、撮影レンズ３の合焦状態を示すピントランプ１７とを設けてある。また、接眼側窓５ｂの近傍には、音声出力穴１８を設けてある。この音声出力穴１８の奧には、撮影のタイミングを知らせるための報知の音声を出力するスピーカ１９（図３参照）を配してあり、接眼側窓５ｂを覗いてフレーミングを行う撮影者に、撮影のタイミングを知らせる音声が聞こえるようにしてある。
【００２５】
上記カメラ２の要部構成を図３に示す。システムコントローラ２０は、ＣＰＵや、プログラムが書き込まれたＲＯＭ，各種シーケンスの実行の際に必要なデータを一時的に記憶するワークメモリとして使用されるＲＡＭ，各部との間で信号の入出力を行うＩ／Ｏ回路，報知モード時の経過時間を計時するためのタイマ２０ａ等から構成してある。このシステムコントローラ２０は、操作部６，レリーズボタン７の操作に応答して各部を制御する。表示部２１は、ＬＣＤ１０とこれを駆動するドライバから構成してあり、システムコントローラ２０の制御の下でＬＣＤ１０に各種撮影情報を表示する。
【００２６】
操作部６は、それの操作に応じた操作信号をシステムコントローラ２０に送る。システムコントローラ２０は、その操作信号に応じて各部の動作を制御する。レリーズボタン７には、スイッチ部２２を連結してある。スイッチ部２２は、レリーズボタン７が半押しのときにオンとなる半押しスイッチ２２ａと、全押しのときにオンとなる全押しスイッチ２２ｂとからなる。半押しスイッチ２２ａのオンは半押し信号として、全押しスイッチ２２ｂのオンは、撮影指示信号としてシステムコントローラ２０に送られる。
【００２７】
測距部２５は、半押し信号がシステムコントローラ２０に入力されたときに作動されて、例えば三角測量方式により主要被写体までの撮影距離を測定し、その結果をシステムコントローラ２０に送る。撮影レンズ４には、それを構成する一部または全部のレンズを光軸に沿って移動することでズーミング及びピント合せを行うレンズ駆動部２６を設けてある。システムコントローラ２０は、測距部２５の測距結果に基づいてレンズ駆動部２６を駆動し、撮影レンズ４のピントを主要被写体に合致させる。
【００２８】
測光部２７は、通常モードでは半押し信号に応答して、報知モードでは撮影を行う直前にシステムコントローラ２０によって作動されて、被写体輝度を測定し、その結果をシステムコントローラ２０に送る。システムコントローラ２０は、測光部２７の測光結果に基づいて、適正な露光量となるように露出値（シャッタ速度と絞り値）を決定する。
【００２９】
シャッタ装置１１は、絞りを兼ねており、撮影レンズ４と写真フイルム２８との間に配してある。シャッタ装置１１は、通常は撮影レンズ３からの撮影が写真フイルムに入射しないようにシャッタ羽根を閉じている。撮影を行う際には、シャッタ装置１１は、システムコントローラ２０の制御によって先に決定したシャッタ速度，絞り値でシャッタ羽根を開閉する。これにより、写真フイルム２８に露光を与える。この例では、このように写真フイルム２８の露光を制御するシャッタ装置１１が撮影機構となっている。
【００３０】
システムコントローラ２０は、通常モードでは、撮影指示信号の入力直後にシャッタ装置１１を開閉動作させることで、レリーズボタン７の全押しの直後に露光動作を行う。報知モードでは、システムコントローラ２０は、撮影指示信号の入力時点から予め決めてある遅延時間（例えば数秒間）だけ経過してからシャッタ装置１１を開閉動作させることで、レリーズボタン７の全押しから遅延時間の経過後に写真フイルム２８への露光、すなわち撮影を行う。
【００３１】
報知モード下では、システムコントローラ２０は、撮影指示信号の発生から撮影が行われるまでの期間中に、タイマ２０ａで計時を行い、所定の報知間隔で複数回の音声出力指示を報知部３１に送る。報知間隔は、例えば遅延時間の１／３となっている。
【００３２】
撮影指示信号の発生から撮影が行われるまでの期間中に撮影のタイミングを知らせるための報知を撮影者に行う報知部３１は、スピーカ１９とこれを駆動する音声出力回路３２とから構成してある。音声出力回路３２は、音声出力指示が入力されると、例えば作成して記憶しておいて音声データに基づいて音声信号を生成し、その音声信号をスピーカ１９に供給することによって、カウントダウン用の数の１つをスピーカ１９から音声出力する。音声出力回路３２によって、音声出力されるカウントダウン用の数は、音声出力指示が入力される毎に「１」ずつ小さくなる。これにより、シャッタ装置１１の開閉動作が行われるのとほぼ同時に音声出力の内容が「０」となるようにして、「３」，「２」，「１」，「０」という音声によるカウントダウンが行われる。
【００３３】
次に上記構成の作用について図４を参照しながら説明する。撮影を行う場合には、撮影者は、操作部６を操作して、通常モードまたは報知モードを選択する。この後に、フレーミングを行ってからレリーズボタン７を押圧して撮影を行う。この操作でレリーズボタン７が半押しとなると、半押しスイッチ２２ａがオンとなって半押し信号がシステムコントローラ２０に送られる。
【００３４】
ステップＳＴ１では、半押し信号の入力の有無が調べられており、半押し信号の入力待ち状態となっている。このステップＳＴ１において、半押し信号がシステムコントローラ２０に入力されると、ステップＳＴ２によって、測距部２５が作動されて、主要被写体までの撮影距離が測定され、その測定された撮影距離に基づいて、主要被写体にピントが合致するように撮影レンズ４のピント合せが行われる。
【００３５】
撮影レンズ４のピント調節後に、ステップＳＴ３で撮影モードが調べられる。撮影モードとして、例えば通常モードが選択されている場合では、ステップＳＴ４に移り、測距部２７による被写体輝度の測定が行われ、その結果に基づいて露出値がシステムコントローラ２０によって決定される。
【００３６】
露出値の決定後に、ステップＳＴ５で、レリーズボタン７が全押しとされたか否か、すなわち全押しスイッチ２２ｂがオンとなって撮影指示信号が発生したか否かが調べられる。レリーズボタン７が全押しとなってない場合は、次にステップＳＴ６でレリーズボタン７が半押しに維持されているか否かが調べられる。ここでレリーズボタン７が半押しとなっていない場合には、ステップＳＴ１に戻り、半押し信号の入力待ち状態となる。
【００３７】
ステップＳＴ５において、レリーズボタン７が全押し位置となったことが検出されると、ステップＳＴ６のシャッタ開閉動作を行って撮影を行う。このシャッタ開閉動作では、システムコントローラ２０の制御の下、ステップＳＴ４で決定された露出値でシャッタ装置１１が作動されて写真フイルム２８に露光が与えられる。したがって、この通常モードでは、レリーズボタン７の全押し位置への押圧の直後にほとんど遅延なく被写体の撮影が行われる。
【００３８】
一方、報知モードが選択されている場合では、ステップＳＴ３からステップＳＴ７に処理が移り、レリーズボタン７が全押しであるか否かが調べられる。レリーズボタン７が全押しでない場合には、ステップＳＴ８により、レリーズボタン７が半押しに維持されているか否かが調べられる。ここでレリーズボタン７が半押しとなっていない場合には、ステップＳＴ１に戻り、半押し信号の入力待ち状態となる。
【００３９】
報知モード下でレリーズボタン７の全押しに応答して、撮影指示信号がシステムコントローラ２０に入力されると、ステップＳＴ９により、システムコントローラ２０から報知部３１の音声出力回路３２に１番目の音声出力指示が与えられる。これにより、スピーカ１９から「３」の音声が出力される。
【００４０】
ステップＳＴ９による１番目の音声出力指示の後、ステップＳＴ１０で報知間隔が経過したか否かが調べられ、タイマ２０ａの計時内容に基づいて、音声出力指示の送出時点から報知間隔が経過するとステップＳＴ１１に移る。ステップＳＴ１１では、システムコントローラ２０から報知部３１に２番目の音声出力指示が与えられことにより、スピーカ１９から「２」の音声が出力される。
【００４１】
次に、ステップＳＴ１０，１１と同様な処理により、ステップＳＴ１２，１３によって、２番目の音声出力指示から報知間隔の経過後に、３番目の音声出力指示によってスピーカ１９から「１」の音声が出力される。さらに。ステップ１４，１５により、３番目の音声出力指示から報知間隔の経過後に、４番目の音声出力指示によってスピーカ１９から「０」の音声が出力される。
【００４２】
続くステップＳＴ１６では、ステップＳＴ４と同様に、測光部２７により被写体輝度の測定が行われて、露出値が決定される。この後に、ステップＳＴ６でシャッタ開閉動作して撮影を行う。このシャッタ開閉動作では、ステップＳＴ１６で決定された露出値でシャッタ装置１１が作動されて写真フイルム２８に露光が与えられる。
【００４３】
したがって、この報知モードでは、レリーズボタン７の全押しへの押圧時から遅延時間の経過後に被写体の撮影が行われる。そして、レリーズボタン７の全押しとなった時点から、「３，２，１，０」のカウントダウンがスピーカ１９からの音声で行われ、その「０」の音声出力直後に撮影が行われる。このため、撮影者は、その音声出力により撮影のタイミングを知ることができ、撮影タイミングで手ブレしないようにカメラ２を保持しておくようにすることが容易にできる。
【００４４】
上記実施形態では、報知モード下において、レリーズボタン７が半押しとなった時点でピント合せを行う処理を行い、露光動作の直前に被写体輝度を測定し露出値を決定する処理（ステップＳＴ１５）を行っているが、これら処理をするタイミングは上記のものに限られない。例えば、各処理をステップＳＴ１３の直後に行うようにしたり、各処理をレリーズボタン７が半押し位置とされた時点で行うようにしたりしてもよい。
【００４５】
図５は、光学的な表示で撮影のタイミングを知らせるための報知を撮影者に行う例を示すものである。なお、以下に説明する他は、上記実施形態と同様であり、同じ構成部材には同一の符号を付してその説明を省略する。
【００４６】
カメラボディ３の背面側にタイミングランプ３５を設けてある。このタイミングランプ３５は、ファインダ５を覗きながら、その点灯を観察することができるように接眼側窓５ｂの近傍に設けてある。タイミングランプ３５は、音声出力穴１８の撮影のタイミングを知らせる音声出力と同期して、すなわち音声が出力される毎に点灯する。これにより、撮影者は、例えば周囲の音が大きい場合等には、タイミングランプ３５の点灯回数で撮影のタイミングをとることができる。
【００４７】
なお、複数のタイミングランプを設けて、順次に点灯個数を増やしたり、あるいは減少させたりして撮影のタイミングを知らせてもよく、タイミングランプがファインダの視野内で観察されるようにしてもよい。また、光学的に撮影が行われるタイミングを報知するには、例えばファインダ内にカウントダウンの数字が観察されるようにしてもよい。この場合、ファインダの光路内に液晶板等を配することで、ファインダ内で観察される被写体像に、カウントダウンされる数字を重ねあわせて表示するようにすることもできる。さらに、音声出力と光学的な表示とを併用しているが、光学的な表示だけで撮影のタイミングを知らせてもよい。
【００４８】
図６に示す例は、撮影者の耳に装着される音声出力器としてイヤホンを用いて撮影のタイミングを聞くようにした例を示すものである。カメラボディ３その側面に、音声を出力するための出力端子としてジャック３７を設けてあり、このジャック３７にイヤホン３８のプラグ３８ａを差し込むことにより、撮影者はイヤホン３８を通して撮影のタイミングを知らせる音声を聞くことができる。なお、音声出力器としては、イヤホンに限らずヘッドホン等であってもよい。また、この例では、イヤホン３８をカメラ２に着脱自在としてあるが、そのようにしなくてもよい。
【００４９】
図７の例は、上記図６の例とほぼ同様に、ジャック３７にプラグ３８ａを差し込むことにより、撮影者がイヤホン３８を通して撮影のタイミングを知らせる音声を聞くことができる。また、カメラボディ３の前面に音声出力穴４１を設けてあり、この音声出力穴４１の奧にスピーカ４２を配してある。図８に示すように、スピーカ４２の一方の端子は、イヤホン３８のプラグ３８ａが差し込まれたときに音声出力回路３２との接続が切断されるジャック４３の接点３７ａに接続してある。これによれば、イヤホン３８を使用しない場合には、スピーカ４２からの音声出力により、撮影者及び被写体に対して撮影のタイミングを知らせることができ、イヤホン３８を使用する場合では、スピーカ４２からの音声出力はされなくなり、イヤホン３８を通して撮影者だけが撮影のタイミング聞くことができるように切替えられる。
【００５０】
手ブレの防止には、撮影開始のタイミングの報知は撮影者に対して行えば十分であるが、被写体側にも聞こえるようにして、被写体が撮影タイミングにあわせて様々なポーズを決められるようにすることができる。また、同様に、光学的な表示を被写体側にも行うようにしてもよい。
【００５１】
なお、この例では、ジャック３７を出力切替手段としているが、その他の構成で、音声出力器が接続されているときにスピーカからの音声の出力を停止するようにしてもよい。また、撮影者及び被写体に対して撮影のタイミングを知らせることができるように大きな音量で音声出力を行うスピーカと、撮影者だけが聞こえる程度の小音量の音声出力を行う撮影者用スピーカとを内蔵して、外部から操作で上記の一方のスピーカを選択できるようにし構成してもよい。
【００５２】
図９に示す例は、音量を調節する音量調節手段としてのボリュームを設けた例を示すものである。音声出力回路３２からの出力信号をボリューム４３を介してアンプ４４に入力し、このアンプ４４の出力でスピーカ４５を駆動するようにしてある。アンプ４４は、一定のゲインで入力信号を増幅するようにしてあり、ボリューム４３を調節することで、スピーカ４５からの音声出力の音量を変えられるようにしてある。これにより、音声出力を、撮影者だけが聞こえるように小さくしたり、被写体にも聞こえるように大きくしたりすることができる。なお、カメラボディを保持した撮影者に報知するための小音量と、この小音量よりも大きく撮影者と被写体に対して報知するための大音量となるように、ボリューム４３による音量調節を２段階としてもよい。
【００５３】
図１０，図１１は、手持ちの撮影であるか否かを検出して、通常モードと報知モードとを自動的に選択する例を示すものである。図１０に示すように、カメラボディ３の前面にグリップセンサ５１を設けてある。グリップセンサ５１は、その部分を撮影者の手が接触しているか否かを検出し、それに応じた検出信号を出力する。
【００５４】
カメラ２には、グリップセンサ５１からの検出信号に応じて通常モードと報知モードとを自動的に切り替える自動モードを選択できるようにしてある。図１１に示すように、自動モード下でレリーズボタン７を半押しとすると、検出信号に基づき、グリップセンサ５１の部分を撮影者の手が接触しているか否か、すなわちカメラボディ３を撮影者がグリップしているか否かが判別される。そして、カメラボディ３を撮影者がグリップしている場合には、手持ちの撮影であると判断し手ブレの発生を防止するために報知モードとなり、グリップしていない場合には、三脚などに固定するなどして安定した状態での撮影であって手ブレの発生が生じないものと判断して通常モードとなる。
【００５５】
この例では、手持ちの撮影であるか否かを検出するための検出手段として、グリップセンサを用いているが、検出手段としては、手持ちの撮影であるか否かを検出することができればよく、例えば三脚に固定されているか否かを検出するセンサや、撮影者がファインダを覗いているか否かを検出するセンサ等であってもよい。
【００５６】
上記実施形態では、写真フイルムを用いるカメラを例にして説明したが、カメラとしては、デジタルカメラ、携帯電話に内蔵されたデジタルカメラにも利用できる。デジタルカメラの場合には、カメラボディに設けたスルー画像等を表示する液晶モニタに撮影タイミングを知らせる数字等を表示してもよい。
【図面の簡単な説明】
【００５７】
【図１】本発明を実施したカメラの正面側外観を示す斜視図である。
【図２】カメラの背面図である。
【図３】カメラの要部構成を示すブロック図である。
【図４】撮影手順を示すフローチャートである。
【図５】ファインダの接眼側窓の近傍にタイミングランプを設け光学的な表示で報知する例を示すものである。
【図６】イヤホンを取り付けられるようにした例を示すものである。
【図７】イヤホンの着脱可能とするとともにカメラボディにスピーカを設けた例を示すものである。
【図８】図７の例におけるイヤホンのジャックとスピーカの接続を示す回路図である。
【図９】音量調用のボリュームを設けた例を示すものである。
【図１０】手持ちの撮影であるか否かを検出して通常モードと報知モードとを自動的に切り替える例を示すものである。
【図１１】図１０の例における切り替手順を示すフローチャートである。
【符号の説明】
【００５８】
２  カメラ
７  レリーズボタン
１１  シャッタ装置
１９， ４１  スピーカ
２０  システムコントローラ
３１  報知部
３５  タイミングランプ
３７  ジャック
３８  イヤホン
【図１】
2007065553.tif 000003
【図２】
2007065553.tif 000004
【図３】
2007065553.tif 000005
【図４】
2007065553.tif 000006
【図５】
2007065553.tif 000007
【図６】
2007065553.tif 000008
【図７】
2007065553.tif 000009
【図８】
2007065553.tif 000010
【図９】
2007065553.tif 000011
【図１０】
2007065553.tif 000012
【図１１】
2007065553.tif 000013